(57)【要約】【課題】操作性の向上を図ることが可能なインターホン装置、及びプログラムを提供することにある。【解決手段】インターホン装置１は、操作表示部１１と、表示制御部１４１と、設定部１４２とを備えている。操作表示部１１は、複数のアイコン５を画面にまとめて表示する機能、及び前記複数のアイコン５のうちいずれかを選択する操作を受け付ける機能を有する。表示制御部１４１は、操作表示部１１に表示させる表示内容を制御する。設定部１４２は、複数のアイコン５のうち操作表示部１１に表示するアイコン５を設定する。複数のアイコン５には、複数の機能が一対一に対応付けられている。表示制御部１４１は、設定部１４２で設定されたアイコン５を操作表示部１１に表示させ、かつ表示させるアイコン５の数に基づいてアイコン５の表示サイズを決定する。【選択図】図１
2017208624.tif 000002
【特許請求の範囲】
【請求項１】
複数のアイコンを画面にまとめて表示する機能、及び前記複数のアイコンのうちいずれかを選択する操作を受け付ける機能を有する操作表示部と、
前記操作表示部に表示させる表示内容を制御する表示制御部と、
前記複数のアイコンのうち前記操作表示部に表示するアイコンを設定する設定部とを備え、
前記複数のアイコンには、複数の機能が一対一に対応付けられており、
前記表示制御部は、前記設定部で設定されたアイコンを前記操作表示部に表示させ、かつ表示させるアイコンの数に基づいてアイコンの表示サイズを決定する
ことを特徴とするインターホン装置。
【請求項２】
前記表示制御部は、前記複数の機能のうち関連情報が発生した機能に対応するアイコンには、前記関連情報が発生した旨を通知するマークを重ねて表示する
ことを特徴とする請求項１記載のインターホン装置。
【請求項３】
前記複数のアイコンは、互いに異なる色の図形が含まれており、
前記表示制御部は、前記操作表示部が受け付けた操作によって前記複数のアイコンのうちいずれかが選択された場合、選択されたアイコンの前記図形の色と同系色を一部に配色した画面を、前記操作表示部に表示させる
ことを特徴とする請求項１又は２記載のインターホン装置。
【請求項４】
前記表示制御部は、前記複数の機能のうち対象相手の状態が変化可能な機能に対応するアイコンには、前記対象相手の状態を表示する
ことを特徴とする請求項１〜３のいずれか１項に記載のインターホン装置。
【請求項５】
コンピュータを、請求項１〜４のいずれか１項に記載のインターホン装置として機能させるためのプログラム。
【発明の詳細な説明】
【技術分野】
【０００１】
本発明は、一般にインターホン装置、及びプログラムに関し、より詳細には、インターホンシステムに用いられるインターホン装置、及びプログラムに関する。
【背景技術】
【０００２】
従来、家庭内の各種情報を選択的に表示させるインターホン親機（インターホン装置）がある（例えば、特許文献１参照）。特許文献１に記載のインターホン装置は、温度／湿度センサや人センサなどから各種センサ情報、電力メータやガスメータなどから各種の使用量情報を受信する。インターホン装置は、受信した各種情報をデータ化し、モニタ部に表示させる。
【先行技術文献】
【特許文献】
【０００３】
【特許文献１】特開２００１−１２７８９４号公報
【発明の概要】
【発明が解決しようとする課題】
【０００４】
インターホン装置の分野では、操作性の向上が望まれていた。
【０００５】
本発明は、上記事由に鑑みてなされており、その目的は、操作性の向上を図ることが可能なインターホン装置、及びプログラムを提供することにある。
【課題を解決するための手段】
【０００６】
本発明の一態様に係るインターホン装置は、操作表示部と、表示制御部と、設定部とを備える。前記操作表示部は、複数のアイコンを画面にまとめて表示する機能、及び前記複数のアイコンのうちいずれかを選択する操作を受け付ける機能を有する。前記表示制御部は、前記操作表示部に表示させる表示内容を制御する。前記設定部は、前記複数のアイコンのうち前記操作表示部に表示するアイコンを設定する。前記複数のアイコンには、複数の機能が一対一に対応付けられている。前記表示制御部は、前記設定部で設定されたアイコンを前記操作表示部に表示させ、かつ表示させるアイコンの数に基づいてアイコンの表示サイズを決定する。
【０００７】
本発明の一態様に係るプログラムは、コンピュータを上記のインターホン装置として機能させる。
【発明の効果】
【０００８】
本発明のインターホン装置、及びプログラムでは、操作性の向上を図ることが可能になるという効果がある。
【図面の簡単な説明】
【０００９】
【図１】図１は、本発明の一実施形態に係るインターホン装置、及びインターホン装置を備えるインターホンシステムのブロック図である。
【図２】図２は、同上のインターホン装置の外観図である。
【図３】図３は、同上のインターホン装置の操作表示部に表示されるトップメニュー画面の第１例である。
【図４】図４Ａは、同上のインターホン装置の操作表示部に表示される第１メニュー画面の例である。図４Ｂは、同上のインターホン装置の操作表示部に表示される第２メニュー画面の例である。図４Ｃは、同上のインターホン装置の操作表示部に表示される第３メニュー画面の例である。
【図５】図５は、同上のインターホン装置の操作表示部に表示されるトップメニュー画面における、マークが表示された第２アイコンの例である。
【図６】図６Ａは、同上のインターホン装置の操作表示部に表示されるトップメニュー画面における、マークが表示された第４アイコンの例である。図６Ｂは、同上のインターホン装置の操作表示部に表示されるトップメニュー画面における、マークが表示されていない第４アイコンの例である。
【図７】図７Ａは、同上のインターホン装置の操作表示部に表示されるトップメニュー画面における、マークが表示された第５アイコンの例である。図７Ｂは、同上のインターホン装置の操作表示部に表示されるトップメニュー画面における、マークが表示されていない第５アイコンの例である。
【図８】図８は、本発明の一実施形態に係るインターホン装置の操作表示部に表示されるトップメニュー画面の第２例である。
【図９】図９は、本発明の一実施形態に係るインターホン装置の操作表示部に表示されるトップメニュー画面の第３例である。
【図１０】図１０は、本発明の一実施形態に係るインターホン装置の操作表示部に表示されるトップメニュー画面の第４例である。
【図１１】図１１は、本発明の一実施形態に係るインターホン装置の操作表示部に表示されるトップメニュー画面の第５例である。
【図１２】図１２は、本発明の一実施形態に係るインターホン装置の操作表示部に表示されるトップメニュー画面の第６例である。
【発明を実施するための形態】
【００１０】
以下、本発明の実施の形態を図面に基づいて説明する。
【００１１】
（実施形態）
＜概要＞
本実施形態のインターホン装置１、及びインターホン装置１を備えるインターホンシステム１００のブロック図を図１、インターホン装置１の外観図を図２に示す。なお、図２は、模式的な図であり、各構成要素の寸法比が必ずしも実際の寸法比を反映しているとは限らない。
【００１２】
本実施形態のインターホン装置１は、例えば集合住宅のインターホンシステム１００に用いられる。このインターホンシステム１００は、複数のインターホン装置１、ロビーインターホン３１、管理室親機３２、及び制御装置３を備えている。インターホン装置１は、集合住宅の各住戸に設けられるインターホン親機である。ロビーインターホン３１は、集合住宅のロビーに設けられる。管理室親機３２は、集合住宅の管理室に設けられる。制御装置３は、インターホン装置１、ロビーインターホン３１、管理室親機３２の間の通信を制御する。
【００１３】
インターホン装置１は、例えば来訪者によりロビーインターホン３１から呼び出しが発生した場合、呼び出し音を発生させる。インターホン装置１の筐体１０に設けられた第１の押ボタンスイッチで構成された通話ボタン１０１が住人に押されることにより、インターホン装置１、及びロビーインターホン３１を介した住人と来訪者との通話が可能となる。また、インターホン装置１は、ロビーの玄関ドアに設けられた電気錠の施錠／解錠を制御する玄関制御装置３３が制御装置３を介して接続されている。筐体１０に設けられた第２の押ボタンスイッチで構成された解錠ボタン１０２が住人に押されることにより、ロビーの玄関ドアの電気錠が解錠され、来訪者を集合住宅内に招き入れることが可能となる。
【００１４】
また、筐体１０には、第３の押ボタンスイッチで構成されたメニューボタン１０３が設けられている。このメニューボタン１０３が住人によって押されることにより、インターホン装置１が備える種々の機能のうち、実行させる機能を選択するためのトップメニュー画面４（図３参照）が操作表示部１１に表示される。トップメニュー画面４には、複数（図３では８つ）のアイコン５が配置されており、各アイコン５に機能が対応付けられている。本実施形態のインターホン装置１は、トップメニュー画面４に表示させるアイコン５の数、及びアイコン５の表示サイズが可変であり、操作性の向上を図っている。
【００１５】
＜詳細＞
以下に、本実施形態のインターホン装置１の詳細について説明する。
【００１６】
本実施形態のインターホン装置１は、操作表示部１１、通話部１２、通信部１３、及び制御部１４を備えている。
【００１７】
操作表示部１１は、タッチパネルで構成されており、文字、図形、映像等の情報を表示可能な表示部１１１と、ポインティングデバイスである操作部１１２とを一体に有する。操作表示部１１には、メニューボタン１０３が押された場合に、複数のアイコン５が並べて配置されたトップメニュー画面４が表示される。つまり、操作表示部１１は、複数のアイコン５を画面にまとめて表示する機能、及び複数のアイコン５のうちいずれかを選択する操作を受け付ける機能を有している。
【００１８】
通話部１２は、スピーカ１２１とマイクロホン１２２とを備えている。スピーカ１２１は、音信号（電気信号）を音に変換する。マイクロホン１２２は、音を音信号（電気信号）に変換する。スピーカ１２１及びマイクロホン１２２は、例えば他の装置（ロビーインターホン３１、管理室親機３２、他住戸のインターホン装置１等）を介した通話に用いられる。また、スピーカ１２１は、呼び出し音、警報音等の発生に用いられる。
【００１９】
通信部１３は、通信インターフェースであり、複数の設備（装置、システム）が接続されている。本実施形態では、通信部１３に、制御装置３、玄関子機２１、電気錠２２、防犯システム２３、防災システム２４、及び計測システム２５が接続されている。
【００２０】
制御装置３には、ロビーインターホン３１、管理室親機３２、玄関制御装置３３に加えて、宅配ボックス３４、共用部カメラ３５、エレベータ制御装置３６、充電制御装置３７、及び通信装置３８が接続されている。
【００２１】
宅配ボックス３４は、宅配先の住戸の住人が不在である場合に、宅配業者が荷物を入れるためのロッカー型の設備である。宅配ボックス３４は、荷物が入れられた場合、宅配先の住戸に設けられたインターホン装置１に、制御装置３を介して宅配ボックス３４に荷物が届いている旨を通知するように構成されている。
【００２２】
共用部カメラ３５は、集合住宅の共用部（例えばロビー、駐車場、駐輪場等）に設けられている。共用部カメラ３５は、共用部を撮影した撮影データを制御装置３を介してインターホン装置１に伝送可能に構成されている。
【００２３】
エレベータ制御装置３６は、集合住宅に設けられたエレベータ３６１の昇降を制御する装置である。エレベータ制御装置３６は、制御装置３を介したインターホン装置１からの指示により、エレベータ３６１を指定された階（フロア）に昇降させるように構成されている。
【００２４】
充電制御装置３７は、電気自動車のバッテリーを充電するための充電装置３７１を制御する装置である。充電制御装置３７は、充電装置３７１による電気自動車のバッテリーの充電が完了した場合、電気自動車の持主の住戸に設けられたインターホン装置１に、制御装置３を介して充電が完了した旨を通知するように構成されている。
【００２５】
通信装置３８は、例えばルータで構成されており、電気通信回線３８１を介してサーバ３８２に接続されている。インターホン装置１は、制御装置３、通信装置３８を介してサーバ３８２と通信が可能となる。
【００２６】
玄関子機２１は、住戸の玄関に設けられており、インターホン装置１の呼び出し、インターホン装置１を介した住人との通話等が可能である。また、玄関子機２１は、玄関カメラ２１１を備えている。インターホン装置１は、玄関子機２１から呼び出された際に、玄関カメラ２１１の撮影データを操作表示部１１に表示させる。これにより、住人は、来訪者の姿を確認することができる。
【００２７】
電気錠２２は、住戸の玄関ドアを施錠／解錠する装置である。電気錠２２は、インターホン装置１からの指示により、玄関ドアを施錠／解錠するように構成されている。
【００２８】
防犯システム２３は、住戸の窓、玄関ドアが開けられたことを検知するセンサ（例えばマグネットセンサ）を備えている。防犯システム２３は、住戸の窓、玄関ドアが開けられたことを検知した場合、窓、玄関ドアが開けられた旨をインターホン装置１に通知するように構成されている。
【００２９】
防災システム２４は、例えば火災感知器、ガス警報器等の防災機器を備えている。防災システム２４は、例えば火災感知器が火災を検知した場合、あるいはガス警報器がガス漏れを検知した場合、火災あるいはガス漏れが発生した旨をインターホン装置１に通知するように構成されている。なお、防災システム２４は、火災感知器、ガス警報器の一方のみを備える構成であってもよい。
【００３０】
計測システム２５は、住戸における電力使用量を計測する電力計測装置、ガス使用量を計測するガス計測装置、水道使用量を計測する水道計測装置を備えている。計測システム２５は、電力計測装置、ガス計測装置、水道計測装置がそれぞれ計測した電力使用量、ガス使用量、水道使用量のデータをインターホン装置１に送信するように構成されている。なお、計測システム２５は、電力計測装置、ガス計測装置、水道計測装置のうち、いずれか１つ又は２つを備えた構成であってもよい。
【００３１】
制御部１４は、例えばメモリ、プロセッサを有するマイコン（マイクロコンピュータ）であり、プロセッサがメモリに格納されたプログラムを実行することにより種々の機能を実現する。プログラムは、予めメモリに記憶されていてもよいし、メモリカードなどの記憶媒体に記録されて提供されてもよいし、電気通信回線を通して提供されてもよい。制御部１４は、操作表示部１１、通話部１２、通信部１３、及び通信部１３を介して接続された設備（装置、システム）等を制御するように構成されている。
【００３２】
制御部１４は、表示制御部１４１、及び設定部１４２を備えている。
【００３３】
設定部１４２は、複数（８つ）の機能が一対一に対応付けられた複数（８つ）のアイコン５のうち、トップメニュー画面４に表示させるアイコン５を設定する。
【００３４】
表示制御部１４１は、操作表示部１１に表示させる表示内容を制御する。具体的には、表示制御部１４１は、操作表示部１１に表示させるメニュー画面の表示内容を制御しており、設定部１４２で設定されたアイコン５をトップメニュー画面４に表示させる。
【００３５】
以下に、図３を用いて、設定部１４２が、トップメニュー画面４に表示させるアイコン５に、表示可能な８つのアイコン５の全てを設定した場合におけるトップメニュー画面４について説明する。なお、設定部１４２によるアイコン５の設定、及び表示制御部１４１による表示内容の制御の詳細な説明については後述する。
【００３６】
表示制御部１４１は、トップメニュー画面４に、設定部１４２が設定した８つのアイコン５を並べて配置している。８つのアイコン５には、８つの機能が一対一に対応付けられている。制御部１４は、操作表示部１１が受け付けた操作によって選択されたアイコン５に対応する機能を実行するように構成されている。８つのアイコン５を区別する場合、第１〜第８アイコン５Ａ〜５Ｈという。
【００３７】
トップメニュー画面４は、表示領域が上下に分割されており、下側の第１領域４１は、第１〜第６アイコン５Ａ〜５Ｆの表示が可能な領域であり、上側の第２領域４２は、第７，第８アイコン５Ｇ，５Ｈの表示が可能な領域である。第１領域４１の面積は、第２領域４２の面積よりも大きい。また、第２領域４２における右側の領域には、制御部１４が制御装置３、通信装置３８を介してサーバ３８２から取得した天気情報４０１、及びメニューの表示言語４０２が表示されている。なお、トップメニュー画面４において、第１領域４１と第２領域４２との境界線は表示は必須でなく、境界線が省略されていてもよい。
【００３８】
第１領域４１における上段には、左から順に第１アイコン５Ａ、第２アイコン５Ｂ、第３アイコン５Ｃが表示され、第１領域４１における下段には、左から順に第４アイコン５Ｄ、第５アイコン５Ｅ、第６アイコン５Ｆが表示されている。第１〜第６アイコン５Ａ〜５Ｆは、それぞれ、図形５１Ａ〜５１Ｆと文字５２Ａ〜５２Ｆとが組み合わされた表記である。図形５１Ａ〜５１Ｆは、互いに形、及び色が異なる。
【００３９】
第１アイコン５Ａは、鳴動している受話機のような図形５１Ａと、「呼出する」という文字５２Ａとが組み合わされた表記であり、「呼出する」という機能に対応付けられている。「呼出する」機能とは、他の装置（玄関子機２１、管理室親機３２、他住戸のインターホン装置１等）を呼び出し、呼び出し先の装置を介した通話を行うための機能である。また、「呼出する」機能には、伝言の録音／再生を行う機能も含まれる。
【００４０】
操作表示部１１が受け付けた操作により第１アイコン５Ａが選択された場合、表示制御部１４１は、呼出し先の装置、又は伝言を選択するための第１メニュー画面５０１Ａ（図４Ａ参照）を操作表示部１１に表示させる。第１メニュー画面５０１Ａには、「玄関」、「管理室」、「他住戸」、「伝言」という文字が表記されたアイコン６０１〜６０４、及び「戻る」という文字が表記されたトップメニュー画面４に戻るためのアイコン６００が表示されている。また、第１メニュー画面５０１Ａには、第１アイコン５Ａの「呼出しする」という文字５２Ａがタイトルとして表示されており、タイトルの帯状の背景５０２Ａには、第１アイコン５Ａの図形５１Ａの色と同系色が配色されている。ここでいう図形５１Ａの色と同系色とは、図形５１Ａの色と同じ色を含む。また、背景５０２Ａの色は、単色に限らず、図形５１Ａの色と同系色のグラデーションであってもよい。
【００４１】
第２アイコン５Ｂは、吹き出しに再生記号（三角形）が表記されたような図形５１Ｂと、「通知を見る」という文字５２Ｂとが組み合わされた表記であり、「通知を見る」という機能に対応付けられている。「通知を見る」機能とは、警報情報、お知らせ情報を操作表示部１１に表示する機能である。警報情報とは、防犯システム２３、防災システム２４からの通知情報である。お知らせ情報とは、通信部１３を介して接続された設備（防犯システム２３、防災システム２４を除く）からの通知情報、他装置からの呼び出し情報等である。お知らせ情報の一例として、宅配ボックス３４に荷物が届いている旨の通知情報、電気自動車の充電が完了した旨の通知情報、留守中に管理室親機３２からの呼び出しがあった旨の情報、留守中に来た来訪者による録音データがある旨の情報等がある。また、「通知を見る」機能には、警報情報、お知らせ情報の履歴である履歴情報を操作表示部１１に表示する機能も含まれる。
【００４２】
また、表示制御部１４１は、「通知を見る」機能の関連情報が発生した場合、関連情報が発生した旨を通知するマークを第２アイコン５Ｂに重ねて表示させる。具体的には、例えば、表示制御部１４１は、住人が未確認である新たな警報情報（「通知を見る」機能の関連情報）が発生した場合、図５に示すように、パトライト(登録商標）のような表記のマーク５４１Ｂを第２アイコン５Ｂに重ねて表示させる。マーク５４１Ｂは、新たな警報情報が発生した旨の通知を表している。また、表示制御部１４１は、未確認である新たなお知らせ情報（「通知を見る」機能の関連情報）が発生した場合、「新着」という文字が表記された斜め掛けのリボンのようなマーク５４２Ｂを第２アイコン５Ｂに重ねて表示させる。マーク５４２Ｂは、新たなお知らせ情報が発生した旨の通知を表している。
【００４３】
操作表示部１１が受け付けた操作により第２アイコン５Ｂが選択された場合、表示制御部１４１は、警報情報、お知らせ情報、履歴情報を選択するための第２メニュー画面５０１Ｂ（図４Ｂ参照）を操作表示部１１に表示させる。第２メニュー画面５０１Ｂには、「警報」、「お知らせ」、「履歴」という文字が表記されたアイコン６０５〜６０７、及び「戻る」という文字が表記されたアイコン６００が表示されている。また、第２メニュー画面５０１Ｂには、第２アイコン５Ｂの「通知を見る」という文字５２Ｂがタイトルとして表示されており、タイトルの帯状の背景５０２Ｂには、第２アイコン５Ｂの図形５１Ｂの色と同系色が配色されている。なお、アイコン６０５〜６０７に記載された文字「警報」、「お知らせ」、「履歴」は一例であって、これに限らない。例えば、アイコン６０７に記載された文字は、「記録管理」であってもよい。
【００４４】
第３アイコン５Ｃは、人の姿を映した画面のような図形５１Ｃと、「外を見る」という文字５２Ｃとが組み合わされた表記であり、「外を見る」という機能に対応付けられている。「外を見る」機能とは、住戸の玄関に設けられた玄関子機２１の玄関カメラ２１１の撮影データ、又は共用部に設けられた共用部カメラ３５の撮影データを操作表示部１１に表示する機能である。「外を見る」機能によって玄関カメラ２１１の撮影データを操作表示部１１に表示させている間は、インターホン装置１側の音声を、玄関子機２１のスピーカからは発せられないようにすることが可能である。
【００４５】
操作表示部１１が受け付けた操作により第３アイコン５Ｃが選択された場合、表示制御部１４１は、玄関カメラ２１１、共用部カメラ３５を選択するための第３メニュー画面５０１Ｃ（図４Ｃ参照）を操作表示部１１に表示させる。第３メニュー画面５０１Ｃには、「玄関」、「共用部」という文字が表記されたアイコン６０８，６０９、及び「戻る」という文字が表記されたアイコン６００が表示されている。また、第３メニュー画面５０１Ｃには、第３アイコン５Ｃの「外を見る」という文字５２Ｃがタイトルとして表示されており、タイトルの帯状の背景５０２Ｃには、第３アイコン５Ｃの図形５１Ｃの色と同系色が配色されている。
【００４６】
第４アイコン５Ｄは、円形ボタンを指で押しているような図形５１Ｄと、「操作する」という文字５２Ｄとが組み合わされた表記であり、「操作する」という機能に対応付けられている。「操作する」機能とは、通信部１３を介して接続された設備（電気錠２２、エレベータ３６１）を操作する機能である。「操作する」機能により、電気錠２２の施錠／解錠が可能となる。また、「操作する」機能により、エレベータ３６１を住戸がある階（フロア）まで呼び出す（移動させる）ことが可能となる。
【００４７】
また、第４アイコン５Ｄには、パドロック（南京錠）のようなマーク５３Ｄが表示されている。このマーク５３Ｄは、「操作する」機能の対象相手である電気錠２２の状態（施錠状態、開錠状態）を表している。マーク５３Ｄは、電気錠２２が施錠状態である場合、パドロックが閉じられたような表記（図３参照）となり、電気錠２２が解錠状態である場合、パドロックが開けられたような表記（図６Ａ参照）となる。また、表示制御部１４１は、インターホン装置１に電気錠２２が接続されていない場合、第４アイコン５Ｄにマーク５３Ｄを表示しない（図６Ｂ参照）。
【００４８】
図示は省略するが、操作表示部１１が受け付けた操作により第４アイコン５Ｄが選択された場合、表示制御部１４１は、「操作する」機能の対象相手の設備（電気錠２２、エレベータ３６１）を選択するためのメニュー画面を操作表示部１１に表示させる。このメニュー画面には、第１〜第３メニュー画面５０１Ａ〜５０１Ｃと同様に、第４アイコン５Ｄの「操作する」という文字５２Ｄがタイトルとしてが表示されており、タイトルの帯状の背景には、第４アイコン５Ｄの図形５１Ｄの色と同系色が配色されている。
【００４９】
第５アイコン５Ｅは、掲示物のような図形５１Ｅと、「情報を見る」という文字５２Ｅとが組み合わされた表記であり、「情報を見る」という機能に対応付けられている。「情報を見る」機能とは、通信部１３を介して接続された設備（計測システム２５、充電装置３７１等）の情報を操作表示部１１に表示する機能である。計測システム２５の情報とは、例えば住戸における電力使用量、ガス使用量、水道使用量等を表すデータである。充電装置３７１の情報とは、例えば充電装置３７１のコンセントの空き状況等である。また、「情報を見る」機能には、ブラウザ機能も含まれており、例えばサーバ３８２の電子掲示板の閲覧、回答が可能である。
【００５０】
また、第５アイコン５Ｅには、電球のような表記のマーク５３Ｅが表示されている。このマーク５３Ｅは、「情報を見る」機能の対象相手である計測システム２５が計測した電力使用量の大きさを表している。マーク５３Ｅは、例えば１ヶ月の電力使用量が閾値を上回っている場合、電球が点灯したような表記（図３参照）となり、電力使用量が閾値を下回っている場合、電球が消灯したような表記（図７Ａ参照）となる。また、表示制御部１４１は、インターホン装置１に計測システム２５が接続されていない場合や、計測システム２５が電力量の計測に対応していない場合、第５アイコン５Ｅにマーク５３Ｅを表示しない（図７Ｂ参照）。
【００５１】
図示は省略するが、操作表示部１１が受け付けた操作により第５アイコン５Ｅが選択された場合、表示制御部１４１は、対象の設備（計測システム２５、充電装置３７１、サーバ３８２等）を選択するためのメニュー画面を操作表示部１１に表示させる。このメニュー画面には、第１〜第３メニュー画面５０１Ａ〜５０１Ｃと同様に、第５アイコン５Ｅの「情報を見る」という文字５２Ｅがタイトルとして表示されており、タイトルの帯状の背景には、第５アイコン５Ｅの図形５１Ｅの色と同系色が配色されている。
【００５２】
第６アイコン５Ｆは、工具（レンチ）のような図形５１Ｆと、「設定する」という文字５２Ｆとが組み合わされた表記であり、「設定する」という機能に対応付けられている。「設定する」機能とは、インターホン装置１に関する種々の設定（例えば音量設定、留守設定、言語設定等）の状態を変更する機能である。
【００５３】
図示は省略するが、操作表示部１１が受け付けた操作により第６アイコン５Ｆが選択された場合、表示制御部１４１は、設定項目を選択するためのメニュー画面を操作表示部１１に表示させる。このメニュー画面には、第１〜第３メニュー画面５０１Ａ〜５０１Ｃと同様に、第６アイコン５Ｆの「設定する」という文字５２Ｆがタイトルとして表示されており、タイトルの帯状の背景には、第６アイコン５Ｆの図形５１Ｆの色と同系色が配色されている。
【００５４】
第２領域４２には、左から順に第７アイコン５Ｇ、第８アイコン５Ｈが表示されている。
【００５５】
第７アイコン５Ｇは、「留守」という文字５２Ｇと、文字が表記されたマーク５３Ｇとが組み合わされた表記であり、「留守」という機能に対応付けられている。「留守」機能とは、住人の留守中に他の装置（玄関子機２１、ロビーインターホン３１、管理室親機３２、他住戸のインターホン装置１等）から呼び出しが発生した場合に、応答メッセージを返すという制御部１４の動作モードの１つ（留守モード）である。また、「留守」機能には、呼び出し元の装置からの伝言を録音（留守録）する機能も含まれる。制御部１４は、操作表示部１１が受け付けた操作により第７アイコン５Ｇが選択されるたびに、留守モードの有効状態と無効状態とを切り替える。マーク５３Ｇは、「留守」機能の対象相手である制御部１４が留守モードの有効状態であるか、無効状態であるかを表している。マーク５３Ｇは、留守モードが無効状態である場合、文字が「切」という表記（図３参照）となり、留守モードが有効状態である場合、文字が「入」という表記（図８参照）となる。
【００５６】
第８アイコン５Ｈは、「防犯」という文字５２Ｈと、文字が表記されたマーク５３Ｈとが組み合わされた表記であり、「防犯」という機能に対応付けられている。「防犯」機能とは、防犯システム２３からの通知を受信したときに、スピーカ１２１から警報音を発生させるという制御部１４の動作モードの１つ（防犯モード）である。制御部１４は、操作表示部１１が受け付けた操作により第８アイコン５Ｈが選択されるたびに、防犯モードの有効状態と無効状態とを切り替える。マーク５３Ｈは、「防犯」機能の対象相手である制御部１４が防犯モードの有効状態であるか、無効状態であるかを表している。マーク５３Ｈは、防犯モードが無効状態である場合、文字が「切」という表記（図３参照）となり、防犯モードが有効状態である場合、文字が「入」という表記（図８参照）となる。
【００５７】
次に、設定部１４２によるアイコン５の設定、及び表示制御部１４１による表示内容の制御の詳細について説明する。
【００５８】
上述したように、図３に示したトップメニュー画面４は、設定部１４２が、トップメニュー画面４に表示させるアイコン５として、表示可能な８つのアイコン５（第１〜第８アイコン５Ａ〜５Ｈ）の全てを設定した場合の例である。
【００５９】
本実施形態の設定部１４２は、インターホン装置１に接続される設備に基づいて、実行可能な機能に対応するアイコン５を、トップメニュー画面４に表示させるアイコン５として設定する。住人あるいは施工業者は、操作表示部１１を操作することにより、インターホン装置１に接続される設備のデータを制御部１４に登録する。設定部１４２は、登録された設備データに基づいて、第１〜第８アイコン５Ａ〜５Ｈに対応する機能が実行可能であるか否かを判断し、実行可能な機能に対応するアイコン５をトップメニュー画面４に表示させるアイコン５として設定する。
【００６０】
例えば、登録された設備データの中に、カメラ（カメラ付きの玄関子機２１、共用部カメラ３５等）が含まれていない場合、設定部１４２は、「外を見る」機能が実行不可であると判断し、第３アイコン５Ｃをトップメニュー画面４の表示対象から除外する。また、登録された設備データの中に、例えば電気錠２２、及びエレベータ３６１（エレベータ制御装置３６）が含まれていない場合、設定部１４２は、「操作する」機能が実行不可であると判断し、第４アイコン５Ｄをトップメニュー画面４の表示対象から除外する。また、登録された設備データの中に、例えば計測システム２５、充電装置３７１（充電制御装置３７）、及び通信装置３８（サーバ３８２）が含まれていない場合、設定部１４２は、「情報を見る」機能が実行不可であると判断する。そして、設定部１４２は、第５アイコン５Ｅをトップメニュー画面４の表示対象から除外する。また、本実施形態のインターホン装置１では、「呼出する」機能、「通知を見る」機能、及び「設定する」機能は、インターホン装置１に接続される設備に関わらず必ず実行可能な機能である。したがって、設定部１４２は、第１，第２，第６アイコン５Ａ，５Ｂ，５Ｆをトップメニュー画面４に表示させるアイコン５として必ず設定する。
【００６１】
つまり、上記の例の場合、設定部１４２は、第１，第２，第６〜第８アイコン５Ａ，５Ｂ，５Ｆ〜５Ｈを、トップメニュー画面４に表示させるアイコン５に設定する。
【００６２】
表示制御部１４１は、設定部１４２が設定したアイコン５の数に基づいて、トップメニュー画面４に表示させるアイコン５の配置、及び表示サイズを決定する。より具体的には、表示制御部１４１は、設定部１４２が設定したアイコン５のうち、第１領域４１に表示可能な第１〜第６アイコン５Ａ〜５Ｆの数に基づいて、第１領域４１に表示させるアイコン５の配置、及び表示サイズを決定する。
【００６３】
上記の例の場合、設定部１４２が設定したアイコン５のうち、第１領域４１に表示可能なアイコン５は第１，第２，第６アイコン５Ａ，５Ｂ，５Ｆの３つである。表示制御部１４１は、第１，第２，第６アイコン５Ａ，５Ｂ，５Ｆで、第１領域４１の全体を埋めるように第１，第２，第６アイコン５Ａ，５Ｂ，５Ｆの配置、及び表示サイズを決定する。
【００６４】
図８に、第１領域４１に第１，第２，第６アイコン５Ａ，５Ｂ，５Ｆのみが表示されたトップメニュー画面４の例を示す。図８に示す例では、第１領域４１における左半分の領域に、この領域の大部分を占めるような表示サイズの第１アイコン５Ａが配置されている。また、第１領域４１における右半分の領域の更に上半分の領域に、この領域の大部分を占めるような表示サイズの第２アイコン５Ｂが配置されている。また、第１領域４１における右半分の領域の更に下半分の領域に、この領域の大部分を占めるような表示サイズの第６アイコン５Ｆが配置されている。また、表示制御部１４１は、設定部１４２で設定された第１，第２，第６アイコン５Ａ，５Ｂ，５Ｆのうち、優先順位が最も高い第１アイコン５Ａの表示サイズが、第２，第６アイコン５Ｂ，５Ｆの表示サイズよりも大きくなるように設定している。アイコン５の優先順位は、例えば対応する機能の使用頻度、ユーザの設定等により決定される。
【００６５】
また、複数のアイコン５は、図８に示した例の配置パターン、表示サイズに限らず、図９，１０に示す例のような配置パターン、表示サイズであってもよい。
【００６６】
図９に示す例では、第１領域４１における上半分の領域に第１アイコン５Ａが配置され、下半分の領域に第２，第６アイコン５Ｂ，５Ｆが配置されている。図９に示す例では、第１，第２，第６アイコン５Ａ，５Ｂ，５Ｆの表示サイズが互いに異なるように表示されており、第１アイコン５Ａ、第２アイコン５Ｂ、第６アイコン６Ｆの順に表示サイズが大きい。
【００６７】
図１０に示す例では、第１領域４１を横方向に略３等分した３つの領域に、それぞれ、第１，第２，第６アイコン５Ａ，５Ｂ，５Ｆが配置されている。図１０に示す例では、第１，第２，第６アイコン５Ａ，５Ｂ，５Ｆの表示サイズが互いに同じになるように表示されている。
【００６８】
また、表示制御部１４１は、設定部１４２が設定したアイコン５のうち第１領域４１に表示可能なアイコン５の数が４つ、５つである場合も、この数のアイコン５で第１領域４１を埋めるように配置パターン、表示サイズを決定する（図１１，１２参照）。
【００６９】
図１１に示す例では、第１領域４１を縦方向及び横方向にそれぞれ略２等分した４つの領域に、それぞれ、第１〜第３，第６アイコン５Ａ〜５Ｃ，５Ｆが配置されている。図１１に示す例では、第１〜第３，第６アイコン５Ａ〜５Ｃ，５Ｆの表示サイズが互いに同じように表示されている。
【００７０】
図１２に示す例では、第１領域４１を横方向に略３等分した領域のうち左側の領域に第１アイコン５Ａが配置されている。残りの領域を縦方向、及び横方向にそれぞれ略２等分した４つの領域に、それぞれ、第２，第３，第５，第６アイコン５Ｂ，５Ｃ，５Ｅ，５Ｆが配置されている。図１２に示す例では、第１アイコン５Ａの表示サイズが、第２，第３，第５，第６アイコン５Ｂ，５Ｃ，５Ｅ，５Ｆの表示サイズよりも大きい。
【００７１】
なお、上述したアイコン５の配置パターン、表示サイズは、一例であって上記の例に限らない。
【００７２】
また、第２領域４２に表示可能な第７，第８アイコン５Ｇ，５Ｈについても、対応する機能が実行不可なアイコン５をトップメニュー画面４の表示対象から除外してもよい。例えば、登録された設備データの中に、防犯システム２３が含まれていない場合、設定部１４２は、「防犯」機能が実行不可であると判断し、第８アイコン５Ｈをトップメニュー画面４の表示対象から除外する。この場合、表示制御部１４１は、表示対象から除外された第８アイコン５Ｈの表示スペースを、第７アイコン５Ｇの表示スペースに割り当てる。また、本実施形態のインターホン装置１では、「留守」機能は、インターホン装置１に接続される設備に関わらず必ず実行可能な機能であるので、トップメニュー画面４には、第７アイコン５Ｇが必ず表示される。
【００７３】
上述した例では、トップメニュー画面４の表示領域を上下に分割（第１領域４１、第２領域４２）にしているが、これに限らない。例えば、表示制御部１４１は、トップメニュー画面４の表示領域を横方向に分割し、第１〜第６アイコン５Ａ〜５Ｆの表示が可能な第１領域の右側に第７，第８アイコン５Ｇ，５Ｈの表示が可能な第２領域としてもよい。また、表示制御部１４１は、トップメニュー画面４の表示領域を分割せず、１つの領域を第１〜第８アイコン５Ａ〜５Ｈを表示可能な領域としてもよい。この場合、１つの領域に第１〜第８アイコン５Ａ〜５Ｈが混在して配置されていてもよい。
【００７４】
なお、本実施形態の設定部１４２は、登録された設備データに基づいて機能が実行可能であるか否かを判断し、トップメニュー画面４に表示させるアイコン５を設定しているが、この構成に限らない。例えば、住人あるいは施工業者が、操作表示部１１を操作することにより、設定部１４２が設定するアイコン５を選択するように構成されていてもよい。これにより、例えば、住人は、操作表示部１１を操作することにより、優先度が高い機能に対応するアイコン５のみをトップメニュー画面４に表示させるように設定することが可能となる。
【００７５】
また、表示制御部１４１は、操作表示部１１が受け付けた操作内容により、操作表示部１１に表示させる表示内容を変更可能に構成されていてもよい。これにより、例えば、住人が操作表示部１１を操作することにより、トップメニュー画面４に表示させるアイコン５のデザインを複数デザインの中からいずれかを選択することが可能となる。また、住人が操作表示部１１を操作することにより、トップメニュー画面４におけるアイコン５の配置パターンを設定することが可能となる。また、住人が操作表示部１１を操作することにより、トップメニュー画面４におけるアイコン５の配置位置を入れ替えることが可能となる。例えば、トップメニュー画面４において住人が２つのアイコン５を同時に選択した場合、表示制御部１４１は、選択された２つのアイコンの配置位置を入れ替える。
【００７６】
本実施形態のインターホン装置は、集合住宅のインターホンシステム１００に用いられているが、これに限らず、例えば戸建住宅のインターホンシステムに用いられていてもよい。
【００７７】
また、インターホン装置１の形態は、住戸の壁に設置されるインターホン親機に限らず、スマートフォンやタブレット端末等の携帯端末であってもよい。本実施形態に係るプログラムは、コンピュータを、インターホン装置１として機能させるためのプログラムである。本実施形態のプログラムは、例えばスマートフォンやタブレット端末の携帯端末にインストールされ、携帯端末に内蔵されたコンピュータがプログラムを実行することにより、コンピュータをインターホン装置１として機能させる。
【００７８】
＜まとめ＞
上述したように本実施形態のインターホン装置１は、操作表示部１１と、表示制御部１４１と、設定部１４２とを備えている。操作表示部１１は、複数のアイコン５を画面にまとめて表示する機能、及び前記複数のアイコン５のうちいずれかを選択する操作を受け付ける機能を有する。表示制御部１４１は、操作表示部１１に表示させる表示内容を制御する。設定部１４２は、複数のアイコン５のうち操作表示部１１に表示するアイコン５を設定する。複数のアイコン５には、複数の機能が一対一に対応付けられている。表示制御部１４１は、設定部１４２で設定されたアイコン５を操作表示部１１に表示させ、かつ表示させるアイコン５の数に基づいてアイコン５の表示サイズを決定する。
【００７９】
表示制御部１４１は、設定部１４２が設定したアイコン５で、操作表示部１１の表示領域全体を埋めるように、アイコン５の配置パターン、表示サイズを決定し、操作表示部１１にトップメニュー画面４を表示させている。「アイコン５で操作表示部１１の表示領域全体を埋めるような表示」とは、操作表示部１１の表示領域にアイコン５を隙間なく配置するような表示に限らず、アイコン５の周囲に他のアイコン５の表示が不可な程度の余白を設けた表示を含む。
【００８０】
上記構成により、トップメニュー画面４には、不要な余白が設けられることがなくなる。これにより、本実施形態のインターホン装置１は、トップメニュー画面４の見栄えが向上し、また表示されたアイコン５の視認性が向上するので、操作性の向上を図ることが可能となる。
【００８１】
また、設定部１４２は、対応する機能が実行可能なアイコン５のみを設定し、対応する機能が実行不可なアイコン５をトップメニュー画面４の表示対象から除外している。これにより、住人が、トップメニュー画面４において対応する機能が実行不可なアイコン５を誤って選択することがなくなるので、インターホン装置１は、操作性の向上を図ることが可能となる。
【００８２】
表示制御部１４１は、設定部１４２で設定されたアイコン５のうち、優先順位に基づいてアイコン５の表示サイズを決定することが好ましい。これにより、トップメニュー画面４において、優先順位が高いアイコン５の表示サイズが大きくなり、インターホン装置１は、操作性の向上を図ることが可能となる。
【００８３】
表示制御部１４１は、複数の機能のうち関連情報（新たな警報情報、新たなお知らせ情報）が発生した機能に対応するアイコン５（５Ｂ）に、関連情報が発生した旨を通知するマーク（マーク５４１Ｂ，５４２Ｂ）を重ねて表示することが好ましい（図５参照）。住人は、操作表示部１１を操作することなくトップメニュー画面４を視認するのみで、マーク（マーク５４１Ｂ，５４２Ｂ）が重ねて表示されているアイコン５（５Ｂ）に対応する機能に関連情報が発生したことを確認することができる。これにより、インターホン装置１は、利便性の向上を図ることが可能となる。
【００８４】
複数のアイコン５（５Ａ〜５Ｆ）は、互いに異なる色の図形５１Ａ〜５１Ｆが含まれていることが好ましい。表示制御部１４１は、操作表示部１１が受け付けた操作によって複数のアイコン５（５Ａ〜５Ｆ）のうちいずれかが選択された場合、選択されたアイコン５の図形（５１Ａ〜５１Ｆ）の色と同系色を一部に配色した画面（メニュー画面）を、操作表示部１１に表示させることが好ましい。
【００８５】
本実施形態では、表示制御部１４１は、アイコン５Ａ〜５Ｆのいずれかが選択された場合、選択されたアイコン５の図形（５１Ａ〜５１Ｆ）の色と同系色を、タイトルの背景に配色したメニュー画面を表示している（図４Ａ〜４Ｃ参照）。これにより、住人は、アイコン５に対応する機能と色とを容易に対応付けて覚えることが可能となる。したがって、住人は、操作表示部１１に表示された色に基づいて、実行させたい機能に対応するアイコン５の選択をすることができ、また選択したアイコン５が正しいことをメニュー画面のタイトルの背景色により認識することができる。これにより、インターホン装置１は、操作性の向上を図ることが可能となる。
【００８６】
表示制御部１４１は、複数の機能のうち対象相手の状態が変化可能な機能に対応するアイコン５（５Ｄ，５Ｅ，５Ｇ，５Ｈ）には、対象相手の状態（マーク５３Ｄ，５３Ｅ，５３Ｇ，５３Ｈ）を表示することが好ましい。住人は、操作表示部１１を操作することなくトップメニュー画面４を視認するのみで、アイコン５に対応する機能の対象相手の状態を確認することができる。これにより、インターホン装置１は、利便性の向上を図ることが可能となる。
【００８７】
また、本実施形態のプログラムは、コンピュータをインターホン装置１として機能させるためのプログラムである。これにより、上述したインターホン装置１と同様に、トップメニュー画面４の見栄えが向上し、また表示されたアイコン５の視認性が向上するので、操作性の向上を図ることが可能となる。
【００８８】
なお、上述した実施形態は本発明の一例である。このため、本発明は、上述の実施形態に限定されることはなく、この実施形態以外であっても、本発明に係る技術的思想を逸脱しない範囲であれば、設計等に応じて種々の変更が可能であることはもちろんのことである。
【符号の説明】
【００８９】
１  インターホン装置
１１  操作表示部
１４１  表示制御部
１４２  設定部
５（５Ａ〜５Ｈ）  アイコン
５４１Ｂ，５４２Ｂ  マーク
５１Ａ〜５１Ｆ  図形
５３Ｄ，５３Ｅ，５３Ｇ，５３Ｈ  マーク（対象相手の状態）
【図１】
2017208624.tif 000003
【図２】
2017208624.tif 000004
【図３】
2017208624.tif 000005
【図４】
2017208624.tif 000006
【図５】
2017208624.tif 000007
【図６】
2017208624.tif 000008
【図７】
2017208624.tif 000009
【図８】
2017208624.tif 000010
【図９】
2017208624.tif 000011
【図１０】
2017208624.tif 000012
【図１１】
2017208624.tif 000013
【図１２】
2017208624.tif 000014